(57)【要約】【課題】タップを安定して装着することができてタップの着脱が容易に行なえるタップホルダーを提供すること。【解決手段】動力回転工具３５のホルダー３６に設けられる挿入孔に装着する断面角形の軸部６を設けると共に当該軸部に同ホルダー内の係合部材と係合する環状溝７を形成し、その軸部と反対側にタップ３０を着脱可能に設けたタップホルダー１において、タップホルダー１は、軸部６を設けたヘッド部８に嵌合孔９が形成されたホルダー本体５と、嵌合孔９に挿入する固定部１７を設けた保持具本体１６の中心孔２０に、タップ３０のシャンク３１の挿入を許容すると共にシャンク３１の周面を弾圧することによって抜け止めを施すチャック部材２１を進退自在に設け、かつ、その中心孔２０の奥部２０ａをシャンクの断面角形の端部３１ａが挿入可能な断面角形に形成したタップ保持具１５とから構成。【選択図】図１
0003131091.tif 000002
【実用新案登録請求の範囲】
【請求項１】
動力回転工具のホルダーに設けられる挿入孔に装着する断面角形の軸部を設けると共に当該軸部に同ホルダー内の係合部材と係合する環状溝を形成し、その軸部と反対側にタップを着脱可能に設けたタップホルダーにおいて、
前記タップホルダーは、前記軸部を設けたヘッド部に当該軸部と同心に嵌合孔が形成されたホルダー本体と、その嵌合孔に挿入する固定部を設けた保持具本体の中心孔に、タップのシャンクの挿入を許容すると共に当該シャンクの周面を弾圧することによって抜け止めを施すチャック部材を進退自在に設け、かつ、その中心孔の奥部を前記シャンクの断面角形の端部が挿入可能な断面角形に形成したタップ保持具とから構成されていることを特徴とするタップホルダー。
【請求項２】
前記ホルダー本体のヘッド部に前記軸部が一体に形成されていることを特徴とする請求項１に記載のタップホルダー。
【考案の詳細な説明】
【技術分野】
【０００１】
本考案は、電動インパクトドライバー、エアードライバー等の動力回転工具のホルダーに装着されるタップホルダーに関するものである。
【背景技術】
【０００２】
ねじ切り加工を施すタップは、動力回転工具のホルダーに取り付けたチャックにより締め付けられて装着されるのが一般的である。チャックは、動力回転工具のホルダーに設けられる挿入孔に装着する断面角形の軸部を有し、軸部と反対側のスリーブを回転させることにより複数の爪の対向間隔を調節可能に設けられていて、タップのシャンクを爪で挟持する構造とされている。
【０００３】
ところで、チャックに装着されたタップに大きな回転負荷が作用した場合には、タップのシャンクがスリップしてねじ切り加工が不能となるとか、爪が喰いこんでタップが外しにくくなる等の問題があった。
【０００４】
タップとは異なるドライバビットに用いるビットホルダーについては、色々提案されている。例えば、実開平５―８５５６０号公報には、ホルダー本体に設けた係止ピンをビットの係止溝に係合させ、ホルダー本体に外から遊嵌したカバーが係止ピンを常に内方に向かうように付勢させることによりビットを挟着保持する構造が開示されている。かかる構造をタップホルダーに適用することも考えられるが、タップの装着安定性や回転時におけるタップの振れを生じさせないことなどを得るために少なからぬ問題がある。
【０００５】
なお、ドライバビットの断面六角形の装着部を六角形の挿入穴に挿入させて保持するホルダーを備えた動力回転工具については、実用新案登録第３１１９６１４号公報等により公知である。
【特許文献１】実開平５―８５５６０号公報
【特許文献２】実用新案登録第３１１９６１４号公報
【考案の開示】
【考案が解決しようとする課題】
【０００６】
この考案の目的は、タップを安定して装着することができてタップの着脱が容易に行なえるタップホルダーを提供することにある。
【課題を解決するための手段】
【０００７】
前記目的を達成するために請求項１に記載の考案は、動力回転工具のホルダーに設けられる挿入孔に装着する断面角形の軸部を設けると共に当該軸部に同ホルダー内の係合部材と係合する環状溝を形成し、その軸部と反対側にタップを着脱可能に設けたタップホルダーにおいて、前記タップホルダーは、前記軸部を設けたヘッド部に当該軸部と同心に嵌合孔が形成されたホルダー本体と、その嵌合孔に挿入する固定部を設けた保持具本体の中心孔に、タップのシャンクの挿入を許容すると共に当該シャンクの周面を弾圧することによって抜け止めを施すチャック部材を進退自在に設け、かつ、その中心孔の奥部を前記シャンクの断面角形の端部が挿入可能な断面角形に形成したタップ保持具とから構成されていることを特徴とする。
【０００８】
同様の目的を達成するために請求項２に記載の考案は、請求項１に記載のタップホルダーにおいて、前記ホルダー本体のヘッド部に前記軸部が一体に形成されていることを特徴とするものである。
【考案の効果】
【０００９】
このタップホルダーは、タップを安定して装着することができ、回転時におけるブレがなくねじ切り加工を良好に行なうことができる。加えて、チャック部材の押圧・解除操作によってタップの着脱を容易に行なうことができて使い勝手が良い。さらには、ホルダー本体のヘッド部に軸部を一体に形成しているので、剛性が高く耐久性が良好である。
【考案を実施するための最良の形態】
【００１０】
以下に、本考案の最良の形態例を図面に基づいて説明する。図１はタップを装着したタップホルダーの正面図、図２はホルダー本体の正面図、図３はタップを装着したタップ保持具の正面図、図４は本考案のタップホルダーを動力回転工具に装着した状態を示す参考図である。
【００１１】
図１に示すように、本考案に係るタップホルダー１は、電動インパクトドライバー等の動力回転工具のホルダーに取り付けるための軸部６を設けたホルダー本体５と、タップ３０を着脱可能に設けたタップ保持具１５とから構成されている。
【００１２】
なお、図４に示す動力回転工具３５のホルダー３６は、正六角形の挿入孔（図示せず）を中心位置に設け、同挿入孔に挿入されるビット等の抜け止めを施すために同ビットに形成される環状溝に係脱可能な係合部材（図示せず）が内部に設けられている。
【００１３】
ホルダー本体５は、図２に示すように、クロムモリブデン鋼等の工具鋼材料を用いて製作されており、一端に断面角形、ここでは正六角形の軸部６を設けると共に当該軸部６の中間位置に環状溝７を形成し、その軸部６と反対側に一体に形成された短い円柱形のヘッド部８に軸部６と同心に嵌合孔９を形成している。１０はヘッド部８の端面８ａの２箇所に形成された切欠き、１１は嵌合孔９に連通するように形成されたネジ孔である。
【００１４】
タップ保持具１５は、図３に示すように、ホルダー本体５の嵌合孔９に挿入する短い円柱形の固定部１７とフランジ１８を一体に設けた保持具本体１６に中心孔２０を形成し、その中心孔２０の奥部２０ａをタップ３０のシャンク３１の断面角形、ここでは正四角形の端部３１ａが挿入可能な正四角形に形成している。１９は固定部１７の端縁に浅く形成された環状溝である。
【００１５】
保持具本体１６の中心孔２０には、タップ３０のシャンク３１の挿入を許容すると共に当該シャンク３１の円形周面を内装したバネ性部材（図示せず）により弾圧することによって抜け止めを施すチャック部材２１を進退自在に設けている。
【００１６】
上記タップ３０を着脱可能に設けたタップ保持具１５については、エヌティーツール株式会社製の商品名「タップアダプタ」と同様な構造とされている。
【００１７】
しかして、ホルダー本体５の嵌合孔９にタップ保持具１５の固定部１７を緊密に挿入すると共に止めネジ１２をネジ孔１１に螺着することにより本考案のタップホルダー１が構成される。
【００１８】
かかる構成になる本考案のタップホルダー１は、動力回転工具３５のホルダー３６の挿入孔に軸部６を挿入することにより装着することができる。
タップ３０をタップホルダー１に取り付ける場合には、チャック部材２１を指で押して後退させた状態にてタップ３０のシャンク３１を中心孔２０の奥までに挿入して指を離せば、同チャック部材２１が元の前進した位置に戻りタップ３０は確実に固定される（図４）。また、タップ３０をタップホルダー１から外す場合には、チャック部材２１を指で押して後退させた状態で同タップ３０を引き抜けばよい。
【００１９】
このタップホルダーは、タップを安定して装着することができ、回転時におけるブレがなくねじ切り加工を良好に行なうことができる。加えて、チャック部材の押圧・解除操作によってタップの着脱を容易に行なうことができて使い勝手が良い。
【図面の簡単な説明】
【００２０】
【図１】タップを装着したタップホルダーの正面図
【図２】ホルダー本体の正面図
【図３】タップを装着したタップ保持具の正面図
【図４】本考案のタップホルダーを動力回転工具に装着した状態を示す参考図
【符号の説明】
【００２１】
１・・・タップホルダー
５・・・ホルダー本体
６・・・軸部
７・・・環状溝
８・・・ヘッド部
９・・・嵌合孔
１５・・・タップ保持具
１６・・・保持具本体
１７・・・固定部
２０・・・中心孔
２０ａ・・・奥部
２１・・・チャック部材
３０・・・タップ
３１・・・シャンク
３１ａ・・・端部
３５・・・動力回転工具
３６・・・ホルダー
【図１】
0003131091.tif 000003
【図２】
0003131091.tif 000004
【図３】
0003131091.tif 000005
【図４】
0003131091.tif 000006